(57)【要約】【課題】  従来よりもさらに薄型化を図ることが可能で、しかも、製造コストの上昇を抑制することのできるスイッチ構造及びこれを備えた携帯機器を提供する。【解決手段】  本発明のスイッチ構造は、ケース体１３に開口部１３ａが設けられ、該開口部内にスイッチ端子１８Ａがその先端端子部が露出するように配置されてなり、スイッチ端子には、その基端に開口する凹穴１８ｈが設けられ、該凹穴の内部にコイルばね１８Ｃが収容され、該コイルばねは、凹穴の奥部側に配置されるコイル基端部１８ｅと、少なくとも一部が凹穴の開口から突出して凹穴の外部に設けられた電極１４ｚに導電接触するコイル先端部１８ｆとを一体に有し、コイル基端部は、コイル材が軸線方向に弾性変形可能な態様で巻回されてなり、コイル先端部は、コイル材が軸線方向にコイル基端部よりも弾性変形しにくいように密に巻回されてなる。【選択図】図８
2007052970.tif 000002
【特許請求の範囲】
【請求項１】
ケース体に開口部が設けられ、該開口部内にスイッチ端子の先端端子部が露出するように配置されてなるスイッチ構造において、
前記スイッチ端子には、その基端に開口する凹穴が設けられ、該凹穴の内部にコイルばねが収容され、該コイルばねは、前記凹穴の奥部側に配置されるコイル基端部と、少なくとも一部が前記凹穴の開口から突出して前記凹穴の外部に設けられた電極に導電接触するコイル先端部とを一体に有し、
前記コイル基端部は、コイル材が軸線方向に弾性変形可能な態様で巻回されてなり、前記コイル先端部は、前記コイル材が前記コイル基端部よりも軸線方向に密に巻回されてなることを特徴とするスイッチ構造。
【請求項２】
前記コイル先端部は先端に向けて徐々に縮径してなる形状を有し、前記コイル先端部が前記凹穴の開口縁に規制されることにより、前記コイルばねが前記凹穴内に保持された状態とされていることを特徴とする請求項１に記載のスイッチ構造。
【請求項３】
前記スイッチ端子と前記ケース体との間に介在し、前記スイッチ端子に係合固定される絶縁枠をさらに有し、該絶縁枠が前記開口部に嵌合することにより前記ケース体に固定されていることを特徴とする請求項１又は２に記載のスイッチ構造。
【請求項４】
請求項１乃至３のいずれか一項に記載のスイッチ構造と、前記ケース体の内部において前記スイッチ構造と重なるように配置され、前記電極が表面に形成されてなる配線基板とを有することを特徴とする携帯機器。
【請求項５】
所定方向に湾曲した第１ケース体と、前記第１ケース体の表面上に装着され、前記所定方向に湾曲した第２ケース体と、前記第１ケース体と前記第２ケース体の間に収容された内部モジュールとを有する携帯機器において、
前記内部モジュールは表面上に電極を備えた配線基板を有し、
前記第２ケース体に開口部が設けられ、該開口部内にスイッチ端子がその先端端子部が露出するように配置されてなるスイッチ構造を有し、
前記スイッチ端子には、その基端に開口する凹穴が設けられ、該凹穴の内部にコイルばねが収容され、該コイルばねは、前記凹穴の奥部側に配置されるコイル基端部と、前記凹穴の開口から突出して前記電極に導電接触するコイル先端部とを一体に有し、
前記コイル基端部は、コイル材が軸線方向に弾性変形可能な態様で巻回されてなり、前記コイル先端部は、前記コイル材が前記コイル基端部よりも軸線方向に密に巻回されてなることを特徴とする携帯機器。
【発明の詳細な説明】
【技術分野】
【０００１】
本発明はスイッチ構造及び携帯機器に係り、特に、腕装着型携帯機器、或いは、携帯表示機器として構成する場合に好適な携帯機器のスイッチ構造に関する。
【背景技術】
【０００２】
一般に、腕時計、ダイバーズコンピュータ等の腕装着型携帯機器（電子機器）は、表示部を備えた本体と、この本体に接続されたバンド部とを備えている。バンド部は金属や皮革等からなり、本体を腕に保持するように構成されている。
【０００３】
一方、腕に沿って湾曲してなるケース構造を有し、本体とバンドが一体化されたリストバンド状の腕時計のコンセプトが発表されている。このような構造は、従来の本体とバンドを備えた腕時計とは大きく異なるデザインを可能とするものであり、しかも、従来のように本体寸法に制約を受けないため、きわめて大きな表示面積を確保することができる点で画期的なものである。
【非特許文献１】セイコーウォッチ株式会社  "腕時計の表示技術を革新  電子インク技術を応用した未来型ウオッチを開発"  ［ｏｎｌｕｎｅ］  平成１７年３月、インターネット  ［平成１７年６月２４日検索］  <ＵＲＬ：http://www.seiko-watch.co.jp/press/baseworld/prb_2005/04.html>
【発明の開示】
【発明が解決しようとする課題】
【０００４】
ところで、前述のケース構造を備えた腕時計では、従来の一般的な腕時計よりも大幅に薄型化されたケース構造を有するので、従来のスイッチ構造では、特に、厚み方向の寸法（操作面から背面までの距離）をある程度必要とするため、そのまま用いることが難しいという問題点がある。
【０００５】
また、スイッチ構造を薄型化する場合、スイッチ構造を構成する複数の部品もそれぞれ小型化・薄型化する必要があるため、部品価格が上昇するとともに組み立て作業が困難になり、製造コストが増大するという問題点もある。
【０００６】
そこで、本発明は上記問題点を解決するものであり、その課題は、従来よりもさらに薄型化を図ることが可能で、しかも、製造コストの上昇を抑制することのできるスイッチ構造及びこれを備えた携帯機器を提供することにある。
【課題を解決するための手段】
【０００７】
斯かる実情に鑑み、本発明のスイッチ構造は、ケース体に開口部が設けられ、該開口部内にスイッチ端子の先端端子部が露出するように配置されてなるスイッチ構造において、前記スイッチ端子には、その基端に開口する凹穴が設けられ、該凹穴の内部にコイルばねが収容され、該コイルばねは、前記凹穴の奥部側に配置されるコイル基端部と、少なくとも一部が前記凹穴の開口から突出して前記凹穴の外部に設けられた電極に導電接触するコイル先端部とを一体に有し、前記コイル基端部は、コイル材が軸線方向に弾性変形可能な態様で巻回されてなり、前記コイル先端部は、前記コイル材が軸線方向に前記コイル基端部よりも密に巻回されてなることを特徴とする。
【０００８】
この発明によれば、スイッチ端子の凹穴に収容されたコイルばねが、凹穴の奥部側に配置された、弾性変形可能な態様で巻回されてなるコイル基端部と、凹穴の開口から突出してこのコイル基端部よりも弾性変形しにくいように密に巻回されてなるコイル先端部とを一体に有することにより、コイル基端部が弾性変形することにより導電接触状態の維持及びコンタクト圧の確保が可能になるとともに、弾性変形しにくい密な巻回態様を有するコイル先端部が電極に導電接触するコンタクト接点を構成するので、導電接触状態の安定性及び再現性を確保することができるため、従来のようにコイルばねと接点端子とを組み合わせる必要がなくなることから、スイッチ構造の厚みを低減することができるとともに、部品点数を削減することができ、これによって製造コストも低減できる。
【０００９】
本発明において、前記コイル先端部は先端に向けて徐々に縮径された形状を有し、前記コイル先端部が前記凹穴の開口縁に規制されることにより、前記コイルばねが前記凹穴内に保持された状態とされていることが好ましい。これによれば、円錐台形状や角錘台形状といった錐台形状のコイル先端部によって、コンタクト面積を確保しつつ、コイル先端部を接点端子と同様に充分な変形耐力を備えたものとすることが可能になるため、安定かつ再現性の高い導電接触状態を得ることができる。また、密に巻回されてなる錐台形状のコイル先端部が凹穴の開口縁に規制されることでコイルばねが凹穴内に保持されているため、コイル先端部のスムーズな出没動作が実現されるとともに、スイッチ端子とコイルばねが一体的に構成されるので組立作業をさらに容易に行うことが可能になる。
【００１０】
本発明において、前記スイッチ端子と前記ケース体との間に介在し、前記スイッチ端子に係合固定される絶縁枠をさらに有し、該絶縁枠が前記開口部に嵌合することにより前記ケース体に固定されていることが好ましい。これによれば、スイッチ端子と絶縁枠が係合により一体化されるとともに、ケース体に対してスイッチ端子及び絶縁枠が一体に嵌合固定されることにより、簡易な構造とすることができるとともに部品点数を削減できるため、薄型化を図ることができるとともに、製造時の取り扱い性が向上するので、組み立て作業の容易化を図ることができる。
【００１１】
次に、本発明の携帯機器は、上記のいずれかに記載のスイッチ構造と、前記ケース体の内部において前記スイッチ構造と重なるように配置され、前記電極が表面に形成されてなる配線基板とを有することを特徴とする。これによれば、ケース体の内部に上記のスイッチ構造と配線基板が重なるように配置され、スイッチ端子に内蔵されたコイルばねが直接に配線基板上の電極と接触する構造とすることにより、薄型化された携帯機器を構成することが可能になる。
【００１２】
また、本発明の別の携帯機器は、所定方向に湾曲した第１ケース体と、前記第１ケース体の表面上に装着され、前記所定方向に湾曲した第２ケース体と、前記第１ケース体と前記第２ケース体の間に収容された内部モジュールとを有する携帯機器において、前記内部モジュールは表面上に電極を備えた配線基板を有し、前記第２ケース体に開口部が設けられ、該開口部内にスイッチ端子がその先端端子部が露出するように配置されてなるスイッチ構造を有し、前記スイッチ端子には、その基端に開口する凹穴が設けられ、該凹穴の内部にコイルばねが収容され、該コイルばねは、前記凹穴の奥部側に配置されるコイル基端部と、前記凹穴の開口から突出して前記電極に導電接触するコイル先端部とを一体に有し、前記コイル基端部は、コイル材が軸線方向に弾性変形可能な態様で巻回されてなり、前記コイル先端部は、前記コイル材が前記コイル基端部よりも軸線方向に密に巻回されてなることを特徴とする。
【００１３】
この発明によれば、湾曲形状の第１ケース体と第２ケース体が内蔵モジュールを収容した状態で表裏に重なるように装着され、この内蔵モジュールに設けられた配線基板上の電極がスイッチ構造に導電接触されてなる構成を有する構造において、簡易構造化及び部品点数の低減によりスイッチ構造の薄型化を図ることができるため、より洗練されたデザインを実現することができるとともに、製造コストの削減を図ることができる。
【発明の効果】
【００１４】
本発明によれば、従来よりもさらに薄型化を図ることが可能で、しかも、製造コストの上昇を抑制することのできるスイッチ構造及びこれを備えた携帯機器を提供することができるという優れた効果を奏し得る。
【発明を実施するための最良の形態】
【００１５】
次に、添付図面を参照して本発明の実施形態について詳細に説明する。図１は本発明に係る携帯機器の製造方法の実施形態によって製造される携帯機器の構造を示す概略斜視図、図２は同携帯機器の湾曲方向に沿った断面を示す縦断面図、図３は図２に示す部分Ｓａ〜Ｓｅの各断面構造を示す断面図（ａ）〜（ｅ）である。この携帯機器１０は、人体に装着して用いる装着型機器であり、また、内部に電子回路を内蔵した電子機器でもある。より具体的には、腕に装着して用いる腕装着型電子機器である。この腕装着型電子機器としては、例えば、腕時計、ダイバーズコンピュータ、ストップウォッチ、血圧計その他の人体センシング機器などが挙げられるが、それらの具体的な機能に関する記述は省略する。
【００１６】
この携帯機器１０は、ケース構造を構成する部材（外装部材）として、湾曲した帯状のベース部材１１と、このベース部材１１の表面側に装着された二つのカバー部材１２，１３とを備えている。また、ベース部材１１とカバー部材１２，１３によって形成されるケース構造の内部には、内部モジュール１４が収容されている。
【００１７】
ベース部材１１は金属等によって構成され、自立的に（すなわち、標準的な重力以外の応力を受けていない状態で）湾曲形状を保持可能な剛性を備えている。ベース部材１１は略Ｃ字状に湾曲した形状を備え、具体的には、腕（特に手首部）の外周にほぼ沿った湾曲形状、或いは、楕円にほぼ沿った湾曲形状を有している。
【００１８】
ベース部材１１は、図２に示す楕円Ｘにほぼ沿った湾曲形状を有し、楕円Ｘの長軸との交点の一つＸａにおける楕円Ｘの中心角（長軸と短軸の交点を中心点とする角度）を０度とした場合、０度から２７０度の近傍（２６０〜３００度）まで伸びている。すなわち、上記の一つの交点Ｘａから短軸との交点Ｘｂ及びもう一つの長軸との交点Ｘｃを通過し、もう一つの短軸との交点Ｘｄの近傍まで、楕円Ｘに沿った形状（略楕円弧形状）を有している。
【００１９】
より具体的には、一方の端部に、やや曲率半径の小さい（曲率半径が２２〜２６ｍｍ程度の）湾曲領域Ａと、この湾曲領域Ａに接続され、湾曲領域Ａよりも曲率半径の大きい（曲率半径が４７〜５１ｍｍ程度の）湾曲領域Ｂと、この湾曲領域Ｂに接続され、湾曲領域Ｂよりも曲率半径の小さい（曲率半径が２２〜２６ｍｍ程度の）湾曲領域Ｃと、湾曲領域Ｃに接続され、湾曲領域Ｃよりも曲率半径の大きい（曲率半径が５４〜５８ｍｍ程度の）湾曲領域Ｄと、湾曲領域Ｄに接続され、湾曲領域Ｄよりも曲率半径の小さい（曲率半径が２２〜２６ｍｍ程度の）湾曲領域Ｅと、この湾曲領域Ｅに接続され、平坦に構成された平坦領域Ｆとを備えている。
【００２０】
ベース部材１１は、上述のように自立的に形状を保持できる剛性を有するが、或る程度の弾性をも有し、着脱時等において人手により多少変形できるものとすることが好ましい。また、ベース部材１１はプレス加工や鍛造加工等で製造できるが、その湾曲形状の精度を高めるためには、金属等の素材のブロック体（或いは板状体）から放電加工等によって上述の湾曲形状に切り出して製造することが望ましい。
【００２１】
図４はベース部材１１の一部を示す平面図である。ベース部材１１の湾曲方向の一部には、裏側に湾曲方向に貫通する貫通部１１ｓを伴う橋梁部１１ｔが設けられている。この橋梁部１１ｔは、上記楕円Ｘの中心角２００度の近傍（１８０〜２２０度）の中途領域に形成されている。橋梁部１１ｔはベース部材１１の幅方向に伸び、その両端がベース部材１１の外縁部１１ｘに接続されている。橋梁部１１ｔはベース部材１１に対して別部材で作成し、ベース部材１１に溶接、溶着、接着等の任意の方法で固定してもよく、或いは、切削加工等によりベース部材１１に一体に設けてもよい。
【００２２】
橋梁部１１ｔの表面はベース部材１１の外縁部１１ｘに対して連続する表面形状を有している。図示例の場合、橋梁部１１ｔは幅方向（図４の上下方向）には平坦で、湾曲方向（図４の左右方向）にはベース部材１１全体の湾曲形状にほぼ沿って湾曲している。ただし、橋梁部１１ｔとこれが接続するベース部材１１の外縁部１１ｘとが連続的な表面形状を有していればよく、例えば、橋梁部１１ｔの表面が平坦面であってもよい。ここで、表面形状が連続するとは、一般的なパッキンによって密閉できる範囲未満の曲率半径を有する曲折部を有しないことを言う。
【００２３】
カバー部材１２は、楕円Ｘの中心角０度〜２００度の近傍（１８０〜２２０度）までの範囲に延在するように構成され、この範囲のベース部材１１の表面上に装着される。カバー部材１２は、金属等で構成された枠体２１ａと、この枠体２１ａの内側に構成された表示窓２１ｂとを有する。表示窓２１ｂは枠体２１ａに嵌合固定された透明素材（ガラスや透明樹脂）で構成されている。ただし、表示窓２１ｂは素材の存在しない開口で構成されていてもよく、また、カバー部材１２全体が透明素材で構成されていても構わない。
【００２４】
カバー部材１２の裏面の外縁部にはパッキンボックスが構成され、このパッキンボックスに閉曲線状のパッキン１５が収容され、このパッキン１５を介してベース部材１１とカバー部材１２が密接している。ただし、パッキン１５はベース部材１１に設けられたパッキンボックスに収容されていてもよいなど、何らかの態様でベース部材１１とカバー部材１２がパッキン１５を介して密接していればよい。そして、ベース部材１１とカバー部材１２は止めねじ１７で固定されている。
【００２５】
また、カバー部材１３の裏面の外縁部にも上記と同様のパッキンボックスが構成され、このパッキンボックスに閉曲線状のパッキン１６が収容され、このパッキン１６を介してベース部材１１とカバー部材１３が密接している。ただし、パッキン１６はベース部材１１に設けられたパッキンボックスに収容されていてもよいなど、何らかの態様でベース部材１１とカバー部材１３がパッキン１６を介して密接していればよい。そして、ベース部材１１とカバー部材１２は止めねじ１７で固定されている。
【００２６】
図５は内部モジュール１４の平面図である。内部モジュール１４は、表示体１４ａと、配線基板１４ｂとが導電接続された帯状に構成され、全体が少なくとも上記ベース部材１１の湾曲方向に可撓性を有している。
【００２７】
表示体１４ａは、２枚の透明な可撓性フィルムの内面にそれぞれ透明電極を形成し、これらの可撓性フィルム間に電気光学物質、たとえば、透明な液体とともに、相互に逆の電界方向に向けて移動する異なる色相の粒子（例えば、白い粒子と黒い粒子）を収容したマイクロカプセルを多数含有したもの（例えば、Ｅインク社の電子インク）を配置してなる。この表示体１４ａは、透明電極間に印加する電圧の極性を変えることによって、高いコントラストで所望の表示を形成することができる。表示体１４ａは、上記ベース部材１１の湾曲方向に伸びた帯状の表示領域１４ｘを備えている。なお、表示体１４は液晶表示パネルや有機ルミネッセンスパネルで構成されていてもよい。
【００２８】
配線基板１４ｂはポリイミド樹脂等からなるフレキシブル基板であり、基板上若しくは基板内に配線が形成されている。配線基板１４ｂの端部には表示体１４ａの端子が導電接続された端子部１４ｃが設けられている。また、配線基板１４ｂの表面上にはＩＣチップその他の電子部品１４ｙが実装されている。さらに、配線基板１４ｂの表面上にはスイッチ接続用の電極（パッド）１４ｚ、１４ｖが設けられ、また、電池接続用の電極（パッド）１４ｗ、１４ｕも形成されている。
【００２９】
内部モジュール１４は、表示体１４ａがカバー部材１２の内部に配置され、配線基板１４ｂがカバー部材１３の内部に配置されるように、ベース部材１１とカバー部材１２，１３の間に収容される。ここで、内部モジュール１４は、ベース部材１１の橋梁部１１ｔの裏側に形成された貫通部１１ｓを通過して、この橋梁部１１ｔの湾曲方向両側に延在するように配置される。なお、貫通部１１ｓには、内部モジュール１４の配線基板１４ｂのうち、上記表示体１４ａに導電接続される端子部１４ｃが設けられる領域が挿通されるように構成することが好ましい。これによって、表示体１４ａの一部が橋梁部１１ｔによって覆われることがなくなるとともに、配線基板１４ｂにおける電子部品１４ｙの実装領域、スイッチ接続用の電極１４ｚ、１４ｖの形成領域などを回避することができるので、貫通部１１ｓの厚みを小さくすることができるため、橋梁部１１ｔが設けられた部分、すなわち、橋梁部１１ｔと貫通部１１ｓが厚み方向に併設された領域の厚みを低減することができる。
【００３０】
なお、図示例では、加工を容易にするために、また、内部モジュール１４の挿通作業を容易にするために、貫通部１１ｓに臨む内底面を平坦に形成しているが、この内底面をベース部材１１の湾曲形状に対応した湾曲面としてもよい。
【００３１】
この橋梁部１１ｔの表面は、上記カバー部材１２，１３の端部とパッキン１５，１６を介して密接している。橋梁部１１ｔの表面は上述のようにベース部材１１の外縁部と連続した表面を構成しているので、パッキン１５，１６と橋梁部１１ｔ及びベース部材１１の外縁部との間にすき間が生じにくくなるため、ベース部材１１とカバー部材１２によって構成されるケース構造の内部空間、並びに、ベース部材１１とカバー部材１３によって構成されるケース構造の内部空間がそれぞれパッキン１５，１６によって確実に密閉される。
【００３２】
図６は、カバー部材１３を除去したときの露出部位を示す概略斜視図である。配線基板１４ｂ上には電池保持枠１９Ａ及び電極端子１９Ｂが固定され、図１及び図３（ｅ）に示す電池１９Ｃを電池保持枠１９Ａ内に収容すると、電池１９Ｃの底面に設けられた電極が配線基板１４ｂ上に設けられた上記電極１４ｗに導電接触し、また、電池１９Ｃの側面に設けられた電極が電極端子１９Ｂを介して配線基板１４ｂ上の上記電極１４ｕに導電接触するようになっている。
【００３３】
なお、カバー部材１３は、配線基板１４ｂの厚みに合わせた凹凸状の内面形状を有し、これによってベース部材１１とカバー部材１３によって画成される内部空間の厚みが場所によって異なることとなるように構成されている。例えば、図３（ｃ）に示すように、配線基板１４ｂ上に電子部品１４ｙが実装されている部分では内部空間の厚みが大きく確保されているが、図３（ｄ）に示すように、電子部品１４ｙが実装されていない部分では内部空間の厚みは配線基板１４ｂの厚さよりやや大きい程度とされる。
【００３４】
次に、本実施形態のスイッチ構造について詳細に説明する。図３（ｄ）に示すように、上記のカバー部材１３には開口部１３ａが設けられ、この開口部１３ａ内に、配線基板１４ｂ上に形成された電極１４ｚ、１４ｖに導電接続されたスイッチ端子１８Ａと、このスイッチ端子１８Ａとカバー部材１３との間に枠状に介在する合成樹脂等からなる絶縁枠１８Ｂとが取り付けられ（嵌合固定され）ている。なお、図６には、カバー部材１３の表面にスイッチ端子１８Ａ及び絶縁枠１８Ｂが装着されている様子を二点鎖線で示してある。
【００３５】
スイッチ端子１８Ａは、コイルばね１８Ｃを介して上記の電極１４ｚ、１４ｖに導電接触している。コイルばね１８Ｃは、図３（ｄ）に示すように、スイッチ端子１８Ａの底部に開口する凹穴１８ｈの内部に収容された円筒状の部分であるコイル基端部１８ｅと、このコイル基端部１８ｅの下部に接続され、下方に向けて縮径する円錐台状の部分であるコイル先端部１８ｆとを有し、コイル先端部１８ｆが凹穴１８ｈの開口縁で脱出しないように保持されている。
【００３６】
図７はコイルばね１８Ｃの拡大断面図である。コイルばね１８Ｃは、コイル材１８ｘを螺旋状に巻回してなり、コイル基端部１８ｅにおいては、コイル材１８ｘは常態（外部応力を受けていない状態）で軸線方向に圧縮可能となるように所定の間隔を有して巻回されている。コイル基端部１８ｅは、上記凹穴１８ｈの内部で軸線方向に弾性変形することによってコイルばね１８Ｃの長さをスイッチ端子１８Ａと電極１４ｚ，１４ｖとの間隔に応じて設定可能にすることにより、導電接触状態を維持する機能を有するとともに、その弾性力によってコイル先端部１８ｆと電極１４ｚ、１４ｖとの間の所要のコンタクト圧が確保されるように機能する。すなわち、コイル基端部１８ｅは、コンタクト圧を確保するための弾性力を発揮するように圧縮状態で凹穴１８ｈ内に収容された状態とされている。
【００３７】
一方、コイル先端部１８ｆでは、上記のコイル材１８ｘが常態（外部応力を受けていない状態）で密に（すなわち軸線方向に隙間なく）巻回された状態となるように形成され、その結果、外部応力が変化しても軸線方向に弾性変形しにくくなるように構成されている。これによって、コイル先端部１８ｆの先端が電極１４ｚ、１４ｖに当接して応力を受けたときでも弾性変形しにくいことから、先端形状に応じた充分な導電コンタクト状態を得ることができ、コンタクト抵抗を低減することができるとともに、導電接触状態の安定性及び再現性を得ることができる。
【００３８】
また、コイル先端部１８ｆは、コイル材１８ｘの巻回径が先端に向けて徐々に縮径する錐台形状を備えている。この錐台形状とは、円錐台や角錐台の形状を言う。このような錐台形状を有するコイル先端部１８ｆを設けることにより、コイル先端部１８ｆの先端において、電極１４ｚ，１４ｖとの間の充分な接触面積及びコンタクト圧を確保することができるため、コンタクト抵抗を低減できるとともに、後述するように凹穴１８ｈの狭小化された開口縁によってコイルばね１８Ｃが凹穴１８ｈ内に保持されるように構成できる。
【００３９】
図８は、スイッチ構造の全体構成を示す拡大断面図である。このスイッチ構造においては、スイッチ端子１８Ａが凹穴１８ｈを備えた中央部１８ａと、この中央部１８ａの表面側において周囲にフランジ状に拡大し、その外縁部が裏面側に突出してなる周縁部１８ｂとを備えている。中央部１８ａの外周面には外周溝等で構成される係合部１８ｉが形成されている。
【００４０】
また、絶縁枠１８Ｂは、スイッチ端子１８Ａを環状に取り巻くように（すなわち、リング状若しくは円筒状に）構成され、その表面側に、スイッチ端子１８Ａとカバー部材１３の開口縁との間に介在する環状凸部１８ｃと、この環状凸部１８ｃの内側に形成された環状溝１８ｄとを備えている。この環状溝１８ｄには上記スイッチ端子１８Ａの周縁部１８ｂが嵌合している。絶縁枠１８Ｂの内部には、上記スイッチ端子１８Ａの係合部１８ｉに係合する、内周リブ等で構成される係合部１８ｋが設けられている。上記スイッチ端子１８Ａの中央部１８ａを絶縁枠１８Ｂの内部に圧入すると、上記係合部１８ｉが係合部１８ｋに係合して、スイッチ端子１８Ａと絶縁枠１８Ｂとが連結されるように構成されている。このとき、スイッチ端子１８Ａの中央部１８ａと絶縁枠１８Ｂの内面との間にはパッキンが介在して密閉性（防水性）が確保されている。
【００４１】
絶縁枠１８Ｂは、カバー部材１３の開口部１３ａに裏側から嵌合固定されている。このとき、絶縁枠１８Ｂの弾性変形によってカバー部材１３に強固に固定されていてもよく、また、接着剤等によって接着固定されていてもよく、或いは、係合構造によって係合固定されていてもよい。また、絶縁枠１８Ｂとカバー部材１３との間にはパッキンが介在して密閉性（防水性）が確保されている。
【００４２】
コイルばね１８Ｃは、コイル先端部１８ｆの一部がスイッチ端子１８Ａの凹穴１８ｈの開口から突出した状態となっており、凹穴１８ｈの開口縁はカシメ加工等によって狭小化されてコイル先端部１８ｆを規制し、コイルばね１８Ｃが凹穴１８ｈから脱出しないように保持している。これによって、コイルばね１８Ｃのコイル先端部１８ｆは、外部応力が加わるとコイル基端部１８ｅの弾性変形により凹穴１８ｈ内に移動するが、外部応力が除去されると、コイル基端部１８ｅの弾性力によってコイル先端部１８ｆの一部が凹穴１８ｈの開口から突出する状態となる。また、このようにコイル先端部１８ｆが凹穴１８ｈの開口を出没する際において、コイル先端部１８ｆは上記のように密に巻回されて弾性変形しにくい構造となっているので、出没動作時にコイル先端部１８ｆが凹穴１８ｈの開口縁に引っ掛かることにより所望の導電接触状態が得られなくなるといった事態の発生を防止することができる。
【００４３】
携帯機器１０の組み立てに際しては、上記のようにスイッチ端子１８Ａ及び絶縁枠１８Ｂが開口部１３ａに嵌合固定されたカバー部材１３を上記の内蔵モジュール１４を装着したベース部材１１に取り付ける。このとき、ベース部材１１の表面上には上記の配線基板１４ｂが配置され、この配線基板１４ｂの表面に電極１４ｚ，１４ｖが形成されている。カバー部材１３をベース部材１１に対して取り付けると、上記コイルばね１８Ｃのコイル先端部１８ｆは配線基板１４ｂ上の電極１４ｚ、１４ｖに当接し、コイル先端部１８ｆが押し返されてコイル基端部１８ｅが弾性変形により軸線方向に圧縮された状態となる。これによって、コイル先端部１８ｆと電極１４ｚ，１４ｖとがコイル基端部１８ｅの弾性力に起因する所定のコンタクト圧で導電接触した状態とされる。
【００４４】
装着者がスイッチ端子１８Ａ及びその周囲のカバー部材１３に指等で触れると、スイッチ端子１８Ａと、その周囲にあるカバー部材１３の開口縁とが電気的に導通し、スイッチ端子１８Ａに導電接続された電極１４ｚ、１４ｖの電位が変化してスイッチ操作が検出され、これによって配線基板１４ｂ上に構成された所定の回路によって所定の動作、例えば、表示体の表示内容の切替、設定操作などが実行される。また、このスイッチ構造は、上記スイッチ端子を検出電極とする静電容量型のタッチスイッチとして構成することもできる。
【００４５】
本実施形態では、スイッチ端子１８Ａ及び絶縁枠１８Ｂをカバー部材１３の開口部１３ａに嵌合固定するとともに、スイッチ端子１８Ａの凹穴１８ｈ内に、弾性変形可能なコイル基端部１８ｅ及び弾性変形しにくいコイル先端部１８ｆを一体に設けたコイルばね１８Ｃを収容し、コイル先端部１８ｆが直接に配線基板１４ｂ上の電極１４ｚ，１４ｖと導電接触するように構成している。したがって、コイルばねで付勢された接点端子を用いていた従来構造に比べて部品点数を削減できるとともに構造自体を簡易化することができ、さらに組み立て作業も容易になるので、スイッチ構造の薄型化を図ることができるとともに、製造コストを低減することができる。そして、このような薄型化されたスイッチ構造を用いることによって、携帯機器１０の全体の薄型化を図ることができるので、携帯機器１０のデザイン設計の自由度を高めることができ、薄く、洗練されたデザインを実現することが可能になる。
【００４６】
特に、本実施形態では、スイッチ端子１８Ａの凹穴１８ｈにコイルばね１８Ｃを挿入した後に凹穴１８ｈの開口縁をカシメ加工等によって狭小化することで、スイッチ端子１８Ａとコイルばね１８Ｃとを一体化させ、また、スイッチ端子１８Ａを絶縁枠１８Ｂに圧入することで、スイッチ端子１８Ａと絶縁枠１８Ｂとを一体化させ、さらに、スイッチ端子１８Ａ及び絶縁枠１８Ｂをカバー部材１３の開口部１３ａに嵌合固定することで、これらを全て一体化させることができる。したがって、部品の取り扱い性も良好であり、組み立て作業もきわめて簡単になる。
【００４７】
上記の実施形態においては、略Ｃ字状に湾曲した携帯機器１０の湾曲形状の開口部分を通して腕（特に手首部）に装着することができる。従来の腕時計やダイバーズコンピュータ等の腕装着型携帯機器とは異なり、装着部（腕）に沿って帯状（ブレスレット状）に構成された極めて斬新なデザインを実現できる。そして、装着部に沿った湾曲方向に長い表示領域を確保しつつ、小型化・薄型化を図ることができる。さらに、内部モジュール１４は一体に構成されているので、部品点数が少なく、組み立て作業も容易である。内部モジュール１４は全体的に湾曲方向に可撓性を有する（すなわち、表示体１４ａと配線基板１４ｂの双方が湾曲方向の可撓性を有する）ので、ケース構造に適合した状態で内部に収容することができる。
【００４８】
尚、本発明の携帯機器は、上述の図示例にのみ限定されるものではなく、本発明の要旨を逸脱しない範囲内において種々変更を加え得ることは勿論である。例えば、上記のスイッチ構造は、湾曲した形状を有するケース構造に設けられているが、本発明はこのようなケース構造に限定されるものではない。また、ケース構造の全体が湾曲している必要はなく、一部が平坦に構成されていてもよい。さらに、本発明は、上記実施形態のように腕装着型の機器に限らず、例えば、ヘアバンドのように頭部に装着するものなど、種々の態様の携帯機器に適用できる。
【図面の簡単な説明】
【００４９】
【図１】実施形態により製造される携帯機器の概略斜視図。
【図２】上記携帯機器の湾曲方向に沿った断面構造を示す概略縦断面図。
【図３】図２のＳａ〜Ｓｅで示す部分の幅方向に沿った断面構造を示す断面図（ａ）〜（ｅ）。
【図４】上記携帯機器のベース部材の一部を示す概略平面図。
【図５】上記携帯機器の内部モジュールの概略平面図。
【図６】上記携帯機器から一方のカバー部材を取り去り、その露出部分を示す概略斜視図。
【図７】実施形態により製造される携帯機器における装着前と装着後の態様をそれぞれ模式的に示す概略説明図。
【図８】二種類の実施形態の製造工程を模式的に示す概略工程図（Ａ−１）〜（Ａ−３）及び（Ｂ−１）〜（Ｂ−３）。
【符号の説明】
【００５０】
１０…携帯機器、１１…ベース部材、１１ｓ…貫通部、１１ｔ…橋梁部、１１ｘ…外縁部、１２…カバー部材、１２ａ…枠部材、１２ｂ…表示窓、１３…カバー部材、１３ａ…開口部、１４…内部モジュール、１４ａ…表示体、１４ｘ…表示領域、１４ｂ…配線基板、１４ｃ…端子部、１４ｙ…電子部品、１４ｚ，１４ｖ…電極、１４ｗ，１４ｕ…電極、１５，１６…パッキン、１７…止めねじ、１８Ａ…スイッチ端子、１８Ｂ…絶縁枠、１８Ｃ…コイルばね、１８ａ…中央部、１８ｂ…周縁部、１８ｃ…環状凸部、１８ｄ…環状溝、１８ｈ…凹穴、１８ｉ，１８ｋ…係合部、１８ｅ…コイル基端部、１８ｆ…コイル先端部、１８ｘ…コイル材、１９Ａ…電池保持枠、１９Ｂ…電極端子、１９Ｃ…電池
【図１】
2007052970.tif 000003
【図２】
2007052970.tif 000004
【図３】
2007052970.tif 000005
【図４】
2007052970.tif 000006
【図５】
2007052970.tif 000007
【図６】
2007052970.tif 000008
【図７】
2007052970.tif 000009
【図８】
2007052970.tif 000010